(57)【要約】  第１および第２の連結器部材と、励磁された場合に磁束を発生させる電磁誘導コイルを有する電子機械アクチュエータサブアセンブリとを含むオーバーラン連結器またはクラッチおよび制御アセンブリが提供される。磁束によってもたらされる制御力をサブアセンブリのアーマチュア部材に加えて、アーマチュア部材を移動させ、ストラットを用いて連結部材を互いに連結するか、または互いから切り離す。【選択図】図１
2013524105.tif 000002
【特許請求の範囲】
【請求項１】
共通回転軸のまわりに互いに対して回転するように支持された第１および第２の連結部材を含むオーバーラン連結器および制御アセンブリであって、前記第１の連結部材は、軸方向で、前記回転軸に沿った第１の方向に向けられた連結用の第１の面を有し、前記第２の連結部材は、前記第１の面と対向し、軸方向で、前記回転軸に沿った第２の方向に向けられた連結用の第２の面を有し、前記第２の連結部材は、前記第２の面から離間し、軸方向で、前記第１の方向に向けられた第３の面を有し、前記第２の面は、前記回転軸のまわりに離間したポケットセットを有し、前記セットの各ポケットはストラットを収容し、前記第１の面は、前記第１および第２の連結部材が、前記軸を中心として少なくとも一方向に互いに対して相対的に回転するのを防止するために、前記ストラットが前記ポケットセットから外に突出したときに前記ストラットと係合するロック構成物セットを有し、前記第３の面は、前記回転軸のまわりに離間し、それぞれのポケットとつながる通路セットを有し、
前記アセンブリは、
支持部材と、
電子機械アクチュエータサブアセンブリと、
をさらに含み、電子機械アクチュエータサブアセンブリは、
励磁された場合に磁束を発生させる電磁誘導コイルであって、前記支持部材および前記第２の連結部材の一方は、前記サブアセンブリのアーマチュア部材であり、前記アーマチュア部材は、前記アセンブリの第１のモードに対応する第１の位置と、前記アセンブリの第２のモードに対応する第２の位置との間で、前記第１の連結部材に対する前記回転軸に沿ったシフト動作を制御するために取り付けられる、電磁誘導コイルと、
前記支持部材によって支持されたアクチュエータセットであって、前記通路セットの各通路は、前記アーマチュア部材の前記位置の一方で、前記第１および第２の連結部材を連結して、前記回転軸を中心として少なくとも一方向に互いに回転させるために、そのそれぞれのストラットが移動して前記ロック構成物と接触するように、そのそれぞれのポケット内のそのそれぞれのストラットを駆動するアクチュエータを受け入れる、アクチュエータセットと、
前記回転軸に沿って前記アーマチュア部材に付勢力を加える少なくとも１つの付勢部材であって、前記コイルが励磁された場合に、前記アーマチュア部材に制御力が加えられて、前記付勢力に抗して、前記アーマチュア部材を前記回転軸に沿ってその第１の位置からその第２の位置に移動させ、前記制御力がない場合、前記アーマチュア部材を前記回転軸に沿って前記第２の位置からもとの前記第１の位置に移動させる少なくとも１つの付勢部材と、
を含むことを特徴とするアセンブリ。
【請求項２】
請求項１に記載のアセンブリにおいて、各前記ストラットは、旋回してそのそれぞれのポケットの外に移動可能な端部を有することを特徴とするアセンブリ。
【請求項３】
請求項２に記載のアセンブリにおいて、それぞれのストラットを付勢して、ストラットのそれぞれの端部がそれらのそれぞれのポケットから出て前記ロック構成物に向かう旋回動作を阻止する付勢部材セットをさらに含み、前記アクチュエータセットは、前記第１および第２の連結部材を連結して前記回転軸を中心として少なくとも一方向に互いに回転させるために、それらのそれぞれのストラットの前記端部を前記付勢部材セットの付勢力に抗して旋回させてロック構成物に接触させ、前記付勢部材セットは、前記連結部材が、前記回転軸を中心として少なくとも一方向に相対的に回転するのを可能にするために、各それぞれのストラットの前記端部を移動させてそれらのそれぞれのポケットに戻すように構成されることを特徴とするアセンブリ。
【請求項４】
請求項１に記載の連結器アセンブリにおいて、前記支持部材は前記アーマチュア部材であり、前記少なくとも１つの付勢部材は、前記第２の連結部材と前記支持部材との間に配置されて、前記支持部材をその第１の位置に向かって付勢することを特徴とする連結器アセンブリ。
【請求項５】
請求項１に記載のアセンブリにおいて、前記第１の位置はオーバーラン位置であり、前記第１のモードはオーバーランモードであり、前記第２の位置はロック位置であり、前記第２のモードはロックモードであることを特徴とするアセンブリ。
【請求項６】
請求項１に記載のアセンブリにおいて、前記第１の位置はロック位置であり、前記第１のモードはロックモードであり、前記第２の位置はオーバーラン位置であり、前記第２のモードはオーバーランモードであることを特徴とするアセンブリ。
【請求項７】
請求項１に記載のアセンブリにおいて、前記ストラットは少なくとも１つのフォワードストラットを含むことを特徴とするアセンブリ。
【請求項８】
請求項１に記載のアセンブリにおいて、前記アクチュエータセットはスプリングアクチュエータを含むことを特徴とするアセンブリ。
【請求項９】
請求項１に記載のアセンブリにおいて、前記第１、第２、および第３の面は略環状であり、前記回転軸に対して概ね半径方向に延びることを特徴とするアセンブリ。
【請求項１０】
請求項１に記載のアセンブリにおいて、前記サブアセンブリは、コイルが収容される空洞を有する静止したハウジングを含み、前記ハウジングは、前記制御力が加えられた場合に、前記アーマチュア部材が前記回転軸に沿って移動する開口を有することを特徴とするアセンブリ。
【請求項１１】
請求項１０に記載のアセンブリにおいて、前記アーマチュア部材は、前記開口から前記空洞内に移動することを特徴とするアセンブリ。
【請求項１２】
請求項１０に記載のアセンブリにおいて、前記アーマチュア部材は、前記開口を横切って移動することを特徴とするアセンブリ。
【請求項１３】
請求項１０に記載のアセンブリにおいて、前記支持部材は前記アーマチュア部材であり、前記サブアセンブリは、前記支持部材を回転可能に支持するベアリングをさらに含むことを特徴とするアセンブリ。
【請求項１４】
請求項１に記載のアセンブリにおいて、前記第２の連結部材は前記アーマチュア部材であり、前記少なくとも１つの付勢部材は、前記第２の連結部材と前記支持部材との間に配置されて、前記第２の連結部材をその第１の位置に向かって付勢することを特徴とするアセンブリ。
【請求項１５】
請求項１に記載のアセンブリにおいて、前記支持部材はアーマチュア部材であり、前記少なくとも１つの付勢部材は、前記支持部材をその第１の位置に向かって付勢することを特徴とするアセンブリ。
【請求項１６】
共通回転軸のまわりに互いに対して回転するように支持された第１および第２のクラッチ部材を含むオーバーランクラッチおよび制御アセンブリであって、前記第１のクラッチ部材は、軸方向で、前記回転軸に沿った第１の方向に向けられた連結用の第１の面を有し、前記第２のクラッチ部材は、前記第１の面と対向し、軸方向で、前記回転軸に沿った第２の方向に向けられた連結用の第２の面を有し、前記第２のクラッチ部材は、前記第２の面から離間し、軸方向で、前記第１の方向に向けられた第３の面を有し、前記第２の面は、前記回転軸のまわりに離間したポケットセットを有し、前記セットの各ポケットはストラットを収容し、前記第１の面は、前記第１および第２のクラッチ部材が、前記軸を中心として少なくとも一方向に互いに対して相対的に回転するのを防止するために、前記ストラットが前記ポケットセットから外に突出したときに前記ストラットと係合するロック構成物セットを有し、前記第３の面は、前記回転軸のまわりに離間し、それぞれのポケットとつながる通路セットを有し、
前記アセンブリは、
支持部材と、
電子機械アクチュエータサブアセンブリと、
をさらに含み、電子機械アクチュエータサブアセンブリは、
励磁された場合に磁束を発生させる電磁誘導コイルであって、前記支持部材および前記第２のクラッチ部材の一方は前記サブアセンブリのアーマチュア部材であり、前記アーマチュア部材は、第１のモードに対応する第１の位置と、第２のモードに対応する第２の位置との間で、前記第１のクラッチ部材に対する前記回転軸に沿ったシフト動作を制御するために取り付けられる、電磁誘導コイルと、
前記支持部材によって支持されたアクチュエータセットであって、前記通路セットの各通路は、前記アーマチュア部材の前記位置の一方で、前記第１および第２のクラッチ部材を連結して、前記回転軸を中心として少なくとも一方向に互いに回転させるために、そのそれぞれのストラットが移動して前記ロック構成物と接触するように、そのそれぞれのポケット内のそのそれぞれのストラットを駆動するアクチュエータを受け入れる、アクチュエータセットと、
前記回転軸に沿って前記アーマチュア部材に付勢力を加える少なくとも１つの付勢部材であって、前記コイルが励磁された場合に、前記アーマチュア部材に制御力が加えられて、前記付勢力に抗して、前記アーマチュア部材を前記回転軸に沿ってその第１の位置からその第２の位置に移動させ、前記制御力がない場合、前記アーマチュア部材を前記回転軸に沿って前記第２の位置からもとの前記第１の位置に移動させる少なくとも１つの付勢部材と、
を含むことを特徴とするアセンブリ。
【請求項１７】
請求項１６に記載のアセンブリにおいて、各前記ストラットは、旋回してそのそれぞれのポケットの外に移動可能な端部を有することを特徴とするアセンブリ。
【請求項１８】
請求項１７に記載のアセンブリにおいて、それぞれのストラットを付勢して、ストラットのそれぞれの端部がそれぞれのポケットから出て前記ロック構成物に向かう旋回動作を阻止する付勢部材セットをさらに含み、前記アクチュエータセットは、前記第１および第２のクラッチ部材を連結して前記回転軸を中心として少なくとも一方向に互いに回転させるために、それらのそれぞれのストラットの前記端部を前記付勢部材セットの付勢力に抗して旋回させてロック構成物に接触させ、前記付勢部材セットは、前記クラッチ部材が、前記回転軸を中心として少なくとも一方向に相対的に回転するのを可能にするために、各それぞれのストラットの前記端部を移動させてそれらのそれぞれのポケットに戻すように構成されることを特徴とするアセンブリ。
【請求項１９】
請求項１６に記載の連結器アセンブリにおいて、前記支持部材は前記アーマチュア部材であり、前記少なくとも１つの付勢部材は、前記第２のクラッチ部材と前記支持部材との間に配置されて、前記支持部材をその第１の位置に向かって付勢することを特徴とする連結器アセンブリ。
【請求項２０】
請求項１６に記載のアセンブリにおいて、前記第１の位置はオーバーラン位置であり、前記第１のモードはオーバーランモードであり、前記第２の位置はロック位置であり、前記第２のモードはロックモードであることを特徴とするアセンブリ。
【請求項２１】
請求項１６に記載のアセンブリにおいて、前記第１の位置はロック位置であり、前記第１のモードはロックモードであり、前記第２の位置はオーバーラン位置であり、前記第２のモードはオーバーランモードであることを特徴とするアセンブリ。
【請求項２２】
請求項１６に記載のアセンブリにおいて、前記ストラットは少なくとも１つのフォワードストラットを含むことを特徴とするアセンブリ。
【請求項２３】
請求項１６に記載のアセンブリにおいて、前記アクチュエータセットはスプリングアクチュエータを含むことを特徴とするアセンブリ。
【請求項２４】
請求項１６に記載のアセンブリにおいて、前記第１、第２、および第３の面は略環状であり、前記回転軸に対して概ね半径方向に延びることを特徴とするアセンブリ。
【請求項２５】
請求項１６に記載のアセンブリにおいて、前記サブアセンブリは、コイルが収容される空洞を有する静止したハウジングを含み、前記ハウジングは、前記制御力が加えられた場合に、前記アーマチュア部材が前記回転軸に沿って移動する開口を有することを特徴とするアセンブリ。
【請求項２６】
請求項２５に記載のアセンブリにおいて、前記アーマチュア部材は、前記開口から前記空洞内に移動することを特徴とするアセンブリ。
【請求項２７】
請求項２５に記載のアセンブリにおいて、前記アーマチュア部材は、前記開口を横切って移動することを特徴とするアセンブリ。
【請求項２８】
請求項２５に記載のアセンブリにおいて、前記支持部材は前記アーマチュア部材であり、前記サブアセンブリは、前記支持部材を回転可能に支持するベアリングをさらに含むことを特徴とするアセンブリ。
【請求項２９】
請求項１６に記載のアセンブリにおいて、前記第２のクラッチ部材は前記アーマチュア部材であり、前記少なくとも１つの付勢部材は、前記第２のクラッチ部材と前記支持部材との間に配置されて、前記第２のクラッチ部材をその第１の位置に向かって付勢することを特徴とするアセンブリ。
【請求項３０】
請求項１６に記載のアセンブリにおいて、前記支持部材はアーマチュア部材であり、前記少なくとも１つの付勢部材は、前記支持部材をその第１の位置に向かって付勢することを特徴とするアセンブリ。
【発明の詳細な説明】
【技術分野】
【０００１】
関連出願の相互参照
本出願は、「電磁一方向クラッチ（ＯＷＣ）または連結器アセンブリ（ＥＬＥＣＴＲＯＭＡＧＮＥＴＩＣ  ＯＮＥ−ＷＡＹ  ＣＬＵＴＣＨ  （ＯＷＣ）  ＯＲ  ＣＯＵＰＬＩＮＧ  ＡＳＳＥＭＢＬＹ）」と題して２０１０年３月２６日に出願された米国仮特許出願第６１／３１７，７８７号の利益を主張し、「電子機械アクチュエータサブアセンブリを含むオーバーラン連結器および制御アセンブリ（ＯＶＥＲＲＵＮＮＩＮＧ  ＣＯＵＰＬＩＮＧ  ＡＮＤ  ＣＯＮＴＲＯＬ  ＡＳＳＥＭＢＬＹ  ＩＮＣＬＵＤＩＮＧ  ＡＮ  ＥＬＥＣＴＲＯＭＥＣＨＡＮＩＣＡＬ  ＡＣＴＵＡＴＯＲ  ＳＵＢＡＳＳＥＭＢＬＹ）」と題して２０１１年３月１７日に出願された米国特許出願第１３／０５０，３７７号に対する優先権を主張するものである。
【０００２】
本発明は、概略的には、制御可能な、または選択可能なオーバーランクラッチまたは連結器アセンブリに関し、特に、車両のオートマチックトランスミッションで使用する電子機械アクチュエータサブアセンブリを含むオーバーラン連結器および制御アセンブリに関する。
【背景技術】
【０００３】
典型的な一方向クラッチ（すなわち、ＯＷＣ）は、第１の部材、第２の部材、および２つの部材の対向する面間の１つまたは複数のロック装置で構成される。一方向クラッチは、一方向にロックし、反対の方向に自由に回転するのを可能にするように設計される。車両のオートマチックトランスミッションでよく使用される一方向クラッチの２つのタイプとして、
一方向クラッチのインナーレースとアウターレースとの間にスプリング装架ローラを含むローラタイプ（ローラタイプは、一部の用途ではスプリングなしでも使用される）と、
一方向クラッチのインナーレースとアウターレースとの間に配置された非対称形状の楔を含むスプラグタイプと、
がある。
【０００４】
一方向クラッチは、特定のギヤシフト時の駆動トルク（すなわち、動力の流れ）の中断を防止し、惰走時にエンジンブレーキを可能にするために、通常トランスミッションで使用される。
【０００５】
米国特許第５，９２７，４５５号明細書は、双方向オーバーラン歯止めタイプのクラッチを開示している。米国特許第６，２４４，９６５号明細書は、トルクを伝達する平面オーバーラン連結器を開示している。米国特許第６，２９０，０４４号明細書は、オートマチックトランスミッションで使用する、選択可能な一方向クラッチアセンブリを開示している。米国特許第７，２５８，２１４号明細書は、オーバーラン連結器アセンブリを開示している。米国特許第７，３４４，０１０号明細書は、オーバーラン連結器アセンブリを開示している。米国特許第７，４８４，６０５号明細書は、オーバーランラジアル連結器アセンブリまたはクラッチを開示している。
【０００６】
他の関連する米国特許出願公開には、米国特許出願公開第２０１０／０２５２３８４号明細書、同第２０１０／０２３０２２６号明細書、同第２０１０／０２００３５８号明細書、同第２００９／０２１１８６３号明細書、同第２００９／０１５９３９１号明細書、同第２００９／００９８９７０号明細書、同第２００８／０２２３６８１号明細書、同第２００８／０１１０７１５号明細書、同第２００８／０１６９１６６号明細書、同第２００８／０１８５２５３号明細書、同第２００７／０２７８０６１号明細書、同第２００７／００５６８２５号明細書、同第２００６／０１８５９５７号明細書があり、以下の米国特許、すなわち、米国特許７，４９１，１５１号明細書、同第７，４６４，８０１号明細書、同第７，３４９，０１０号明細書、同第７，２７５，６２８号明細書、同第７，２５６，５１０号明細書、同第７，２２３，１９８号明細書、同第７，１９８，５８７号明細書、同第７，０９３，５１２号明細書、同第６，９５３，４０９号明細書、同第６，８１４，２０１号明細書、同第６，５０３，１６７号明細書、同第６，１９３，０３８号明細書、同第４，０５０，５６０号明細書、同第５，６３８，９２９号明細書、同第５，３６２，２９３号明細書、同第５，６７８，６６８号明細書、および同第５，９１８，７１５号明細書がある。
【０００７】
車両用空調装置のコンプレッサクラッチが、米国特許第３，０８２，９３３号明細書、および同第３，２０５，９８９号明細書に開示されている。
【０００８】
本出願において、「連結器」という用語は、プレートの一方がトランスミッションのトルク送達要素に駆動可能に連結され、他方のプレートが、別のトルク送達要素に駆動可能に連結されるか、またはトランスミッションハウジングに対して固定されて、静止した状態に保持されるクラッチまたはブレーキを含むと解釈すべきである。「連結器」「クラッチ」および「ブレーキ」という用語は、置き換え可能に使用することができる。
【０００９】
上記の先行技術があるにもかかわらず、制御可能な一方向クラッチまたは連結器アセンブリの制御または操作を簡略化する必要がまだある。
【００１０】
添付の図面と併用し、先行技術を考慮した場合に、以下の詳細な説明および特許請求の範囲から、本発明の少なくとも１つの実施形態の目的、特徴、および技術的利点が、当業者に容易に明らかになるであろう。
【発明の概要】
【００１１】
オーバーラン連結器および制御アセンブリが提供される。アセンブリは、共通の回転軸のまわりに互いに対して回転するように支持された第１および第２の連結部材を含む。第１の連結部材は、軸方向で、回転軸に沿った第１の方向に向けられた連結用の第１の面を有する。第２の連結部材は、第１の面と対向し、軸方向で、回転軸に沿った第２の方向に向けられた連結用の第２の面を有する。第２の連結部材は、第２の面から離間し、軸方向で、第１の方向に向けられた第３の面を有する。第２の面は、回転軸のまわりに離間したポケットセットを有する。セットの各ポケットはストラットを収容する。第１の面は、第１および第２の連結部材が、軸を中心として少なくとも一方向に互いに対して相対的に回転するのを防止するために、ストラットがポケットセットから外に突出したときにストラットと係合するロック構成物セットを有する。第３の面は、回転軸のまわりに離間し、それぞれのポケットとつながる通路セットを有する。アセンブリはまた、支持部材および電子機械アクチュエータサブアセンブリを含む。サブアセンブリは、励磁された場合に磁束を発生させる電磁誘導コイルを含む。支持部材および第２の連結部材の一方は、サブアセンブリのアーマチュア部材である。アーマチュア部材は、アセンブリの第１のモードに対応する第１の位置と、アセンブリの第２のモードに対応する第２の位置との間で、第１の連結部材に対する回転軸に沿ったシフト動作を制御するために取り付けられる。サブアセンブリはまた、支持部材に支持されたアクチュエータセットを含む。通路セットの各通路は、アーマチュア部材の位置の一方で、第１および第２の連結部材を連結して、回転軸を中心として少なくとも一方向に互いに回転させるために、そのそれぞれのストラットが移動してロック構成物と接触するように、そのそれぞれのポケット内のそのそれぞれのストラットを駆動するアクチュエータを受け入れる。サブアセンブリは、回転軸に沿ってアーマチュア部材に付勢力を加える少なくとも１つの付勢部材をさらに含む。コイルが励磁された場合に、アーマチュア部材に制御力が加えられて、少なくとも１つの付勢部材の付勢力に抗して、アーマチュア部材を回転軸に沿ってその第１の位置からその第２の位置に移動させる。制御力がない場合、少なくとも１つの付勢部材は、アーマチュア部材を回転軸に沿って第２の位置からもとの第１の位置に移動させる。
【００１２】
各ストラットは、旋回してそのそれぞれのポケットの外に移動可能な端部を有することができる。
【００１３】
アセンブリは、それぞれのストラットを付勢して、ストラットのそれぞれの端部がストラットのそれぞれのポケットから出てロック構成物に向かう旋回動作を阻止する付勢部材セットをさらに含むことができる。アクチュエータセットは、第１および第２の連結部材を連結して回転軸を中心として少なくとも一方向に互いに回転させるために、それらのそれぞれのストラットの端部を付勢部材セットの付勢力に抗して旋回させてロック構成物に接触させる。付勢部材セットは、連結部材が回転軸を中心として少なくとも一方向に相対的に回転するのを可能にするために、各それぞれのストラットの端部を移動させてそれらのそれぞれのポケットに戻すように構成することができる。
【００１４】
支持部材はアーマチュア部材とすることができ、少なくとも１つの付勢部材は、第２の連結部材と支持部材との間に配置されて、支持部材をその第１の位置に向かって付勢することができる。
【００１５】
第１の位置はオーバーラン位置とすることができ、第１のモードはオーバーランモードとすることができ、第２の位置はロック位置とすることができ、第２のモードはロックモードとすることができる。
【００１６】
第１の位置はロック位置とすることができ、第１のモードはロックモードとすることができ、第２の位置はオーバーラン位置とすることができ、第２のモードはオーバーランモードとすることができる。
【００１７】
ストラットは、少なくとも１つのフォワードストラット（ｆｏｒｗａｒｄ  ｓｔｒｕｔ）を含むことができる。
【００１８】
アクチュエータセットは、スプリングアクチュエータを含むことができる。
【００１９】
第１、第２、および第３の面は略環状であり、回転軸に対して概ね半径方向に延びることができる。
【００２０】
サブアセンブリは、コイルが収容される空洞を有する静止したハウジングを含むことができる。ハウジングは、制御力が加えられた場合に、アーマチュア部材が回転軸に沿って移動する開口を有することができる。
【００２１】
アーマチュア部材は、開口から空洞内に移動してよいし、または開口を横切ってもよい。
【００２２】
支持部材は、アーマチュア部材とすることができ、サブアセンブリは、支持部材を回転可能に支持するベアリングをさらに含むことができる。
【００２３】
第２の連結部材はアーマチュア部材とすることができ、少なくとも１つの付勢部材は、第２の連結部材と支持部材との間に配置されて、第２の連結部材をその第１の位置に向かって付勢することができる。
【００２４】
一実施形態では、オーバーランクラッチおよび制御アセンブリが提供される。アセンブリは、共通の回転軸のまわりに互いに対して回転するように支持された第１および第２のクラッチ部材を含む。第１のクラッチ部材は、軸方向で、回転軸に沿った第１の方向に向けられた連結用の第１の面を有し、第２のクラッチ部材は、第１の面と対向し、軸方向で、回転軸に沿った第２の方向に向けられた連結用の第２の面を有する。第２のクラッチ部材は、第２の面から離間し、軸方向で、第１の方向に向けられた第３の面を有する。第２の面は、回転軸のまわりに離間したポケットセットを有する。セットの各ポケットはストラットを収容する。第１の面は、第１および第２のクラッチ部材が、軸を中心として少なくとも一方向に互いに対して相対的に回転するのを防止するために、ストラットがポケットセットから外に突出したときにストラットと係合するロック構成物セットを有する。第３の面は、回転軸のまわりに離間し、それぞれのポケットとつながる通路セットを有する。アセンブリはまた、支持部材および電子機械アクチュエータサブアセンブリを含む。サブアセンブリは、励磁された場合に磁束を発生させる電磁誘導コイルを含む。支持部材および第２のクラッチ部材の一方は、サブアセンブリのアーマチュア部材である。アーマチュア部材は、アセンブリの第１のモードに対応する第１の位置と、アセンブリの第２のモードに対応する第２の位置との間で、第１のクラッチ部材に対する回転軸に沿ったシフト動作を制御するために取り付けられる。サブアセンブリはまた、支持部材に支持されたアクチュエータセットを含む。通路セットの各通路は、アーマチュア部材の位置の一方で、第１および第２のクラッチ部材を連結して、回転軸を中心として少なくとも一方向に互いに回転させるために、そのそれぞれのストラットが移動してロック構成物と接触するように、そのそれぞれのポケット内のそのそれぞれのストラットを駆動するアクチュエータを受け入れる。サブアセンブリは、回転軸に沿ってアーマチュア部材に付勢力を加える少なくとも１つの付勢部材をさらに含む。コイルが励磁された場合に、アーマチュア部材に制御力が加えられて、少なくとも１つの付勢部材の付勢力に抗して、アーマチュア部材を回転軸に沿ってその第１の位置からその第２の位置に移動させる。制御力がない場合、少なくとも１つの付勢部材は、アーマチュア部材を回転軸に沿って第２の位置からもとの第１の位置に移動させる。
【図面の簡単な説明】
【００２５】
【図１】図１は、本発明の少なくとも１つの実施形態の図である。
【図２】図２は、本発明の少なくとも１つの実施形態の図である。
【図３】図３は、本発明の少なくとも１つの実施形態の図である。
【図４】図４は、本発明の少なくとも１つの実施形態の図である。
【図５】図５は、本発明の少なくとも１つの実施形態の図である。
【図６】図６は、本発明の少なくとも１つの実施形態の図である。
【発明を実施するための形態】
【００２６】
図１は、本発明に従って構築された、全体として１１０で示す制御可能な一方向クラッチまたは連結器アセンブリの一実施形態の上側半分（対称であることから簡略化のため）の、部分的に破断され、（ここで任意のハッチングを見せるが）断面を示す概略側面図である。アセンブリ１１０は、全体として１１２で示す、静止した環状ポケットプレートを含む。プレート１１２の軸方向に延びる外側面１１４は外側スプライン１１６を有し、プレート１１２は、外側スプライン１１６によって、静止したトランスミッションケース１１７のスプライン付き内側面にスプライン結合されている。
【００２７】
プレート１１２の半径方向に延びる内側面１１８には、ストラット１２２（１つのストラットだけが示されている）が通常収容および保持される、離間したポケット１２０（１つのポケットだけが示されている）が形成されている。ポケット１２０の開孔内に配置されたコイルスプリング（図示せず）により、各ストラット１２２の一方の端部部分を外側に付勢することができ、そのため、各ストラット１２２は、通常、そのポケット１２０内に維持される。各ストラット１２２の反対側の端部部分は、スプリング１２４が支持される、全体として１３２で示す環状の付勢アーマチュアプレートが、ストラット１２２の反対側の端部部分に向かって（図１の左に）移動するときに、スプリング１２４の一方の端部によって制御可能に付勢される。各スプリング１２４は、それらのそれぞれのストラット１２２に作用するコイルスプリングの付勢力に打ち勝って、ポケットプレート１１２を貫通するそのそれぞれの穴１１９内を移動する。
【００２８】
環状付勢プレート１３２は、プレート１３２の軸方向に延びる外側面１３５に形成されたスプライン１１３を有し、プレート１３２は、プレート１３２の回転動作を防止するが、軸方向の移動を可能にするように、スプライン１１３によって静止ケース１１７にスプライン結合されている。プレート１３２はまた、スプリング１２４の一方の端部が収容および保持される、複数の離間した円形開孔１３４を有する。スプリング１２４は、プレート１１２の半径方向に延びる外側面１３８を通ってプレート１１２の穴１１９内に延びている。あるいは、複数のスプリング支持体をプレート１３２の内側面１４２に形成して、スプリング１２４の端部を支持することができる。付勢プレート１３２はまた、複数の付勢コイルスプリング１４４を開孔１４３内で支持している。スプリング１４４は、プレート１３２の外側面１４５内の開孔１４３と、全体として１４８で示すコイルハウジングの内側面１４６に形成されたスプリング支持体１４７との間に延びて、プレート１３２およびハウジング１４８を離れる方向に付勢する。ハウジング１４８の部分１５２の外側面１５０もまた、スプライン１３３によってケース１１７の内側面にスプライン結合されていて、ハウジング１４８と、ハウジング１４８内に形成された空洞１５６内に配置されたアーマチュアコイルまたは電磁コイル１５４とは動かない。
【００２９】
コイル１５４は多くのターン数を有しており、適切な樹脂内に埋め込まれ、この樹脂によって囲まれるのが好ましい。コイルハウジング１４８は、鋼または可鍛鉄などの常磁性体でできている。コイル１５４が、スイッチ１６２の形態のコントローラの制御のもとでＤＣ電圧源１６０によって励磁されると、コイル１５４は、スプリング１４４の付勢動作に抗して、付勢アーマチュアプレート１３２の一部をハウジング１４８に引き付ける。コイル１５４への配線１６４は、電圧源１６０およびスイッチ１６２から、ハウジング１４８を貫通して形成された通路１６６を通って延びている。
【００３０】
ストラット１２２が、（スプリング１２４の付勢動作によって）それらのポケット１２０内で旋回すると、ストラット１２２は、全体として１７４で示す回転可能なノッチプレートの半径方向に延びる面１７２に形成された、離間したロック構成物またはノッチ１７０と係合する。ストラット１２２は、プレート１３２のプレート１１２に向かう移動時に、ロック構成物１７０と係合する。ノッチプレート１７４は、ノッチプレート１７４の軸方向に延びる面１７５に形成された内側スプライン１７８によって、スプラインの付いた回転可能なハブ１７６に連結されて、プレート１１２内で回転軸のまわりにプレート１１２に対して回転する。
【００３１】
スナップリング１８０は、プレート１１２の軸方向に延びる内側面１６５に形成された溝１８２内に配置されて、ノッチプレート１７４をプレート１１２に保持する。リング１８０はプレート１７４、１１２を共に保持し、プレート１７４の軸方向の（図１では左への）移動を妨げる。
【００３２】
ストラット１２２は、回転軸のまわりの相対回転動作の一方向において、ノッチプレート１７４をポケットプレート１１２にロックするが、回転軸のまわりの反対方向において、自由な回転を可能にする。本発明の他の実施形態と同様に、他の動作設定も可能であり、コイル１５４の励磁状態によっては、クラッチのロックは、両方向で行うことができ、かつ／または自由回転は、両方向で行うことができる。
【００３３】
ストラット１２２は、スプリング１２４の付勢動作下で、コイル１５４が励磁されない場合にノッチプレート１７４をロックする。ストラット１２２は、アーマチュアコイル１５４が励磁されたときに、環状プレート１３２およびその支持されたスプリング１２４がコイルハウジング１４８に向かって移動すると、ノッチプレート１７４のロックを解除する。励磁されたコイル１５４は、コイルハウジング１４８を通り、プレート１３２の部分１３７を通り、コイルハウジング１４８とアーマチュアプレート１３２との間の狭いエアギャップを横断して流れると考えることができる磁束または磁界を発生させる。磁束密度が生じて、プレート１３２の部分１３７を空洞１５６に引き込むための、ハウジング１４８とプレート１３２との間の引き付け力を発生させる。
【００３４】
図２は、本発明に従って構築された、全体として２１０で示す制御可能な一方向クラッチまたは連結器アセンブリの第２の実施形態の上側半分（対称であることから簡略化のため）の、部分的に破断され、（ハッチングは全くないが）断面を示す概略側面図である。アセンブリ２１０は、アセンブリ１１０と同じ部品およびそれらの付随機能を多く有する。したがって、アセンブリ１１０、２１０の部品の参照番号は、それぞれ「１００」または「２００」の表記を除いて同じである。この番号付け方式は、図３〜６のそれぞれ他の４つの実施形態に対して概ね適用される。
【００３５】
アセンブリ２１０は、全体として２１２で示す環状ポケットプレートを含む。プレート２１２の軸方向に延びる外側面２１４は外側スプライン２１６を有し、プレート２１２は、外側スプライン２１６によって、回転可能なハブ２１７にスプライン結合されて、ハブ２１７と共に回転する。プレート２１２の半径方向に延びる内側面２１８には、ストラット２２２（１つのストラットだけが示されている）が通常収容および保持される、離間したポケット２２０（１つのポケットだけが示されている）が形成されている。ポケット２２０の開孔内に配置されたコイルスプリング（図示せず）により、各ストラット２２２の一方の端部部分を外側に付勢することができ、そのため、各ストラット２２２は、通常、そのポケット２２０内に維持される。各ストラット２２２の反対側の端部部分は、スプリング２２４が（支持体２４０によって）支持される、全体として２３２で示すＵ字形状の付勢アーマチュアプレートまたは部材が、ストラット２２２の反対側の端部部分に向かって移動するときに、スプリング２２４の一方の端部によって制御可能に付勢される。各スプリング２２４は、それらの個々のストラット２２２に作用する前述のコイルスプリングの付勢力に打ち勝って、ポケットプレート２１２を貫通する穴２１９内を移動する。
【００３６】
環状付勢プレート２３２は、プレート２３２の軸方向に延びる内側面２３５に形成されたスプライン２１３を有し、プレート２３２は、スプライン２１３によってプレート２１２にスプライン結合されて、プレート２１２と共に回転する。ベアリング２９０は、プレート２３２を回転可能に支持するので、プレート２３２は、全体として２４８で示す静止したハウジングに対して回転する。複数のスプリング支持体２４０が、プレート２３２の内側面２４６に形成されて、穴２１９内に延びるスプリング２２４を支持している。付勢プレート２３２はまた、プレート２３２の外側面２４６と、プレート２１２の面２３８に形成された開孔２４３との間に延びる複数の付勢コイルスプリング２４４を（支持体２４７で）支持している。スプリング２４４は、プレート２１２、２３２を離れる方向に付勢している。
【００３７】
電磁コイル２５４は、コイルハウジング２４８に形成された空洞２５６内に動かないように配置されている。コイル２５４は多くのターン数を有しており、適切な樹脂内に埋め込まれ、この樹脂によって囲まれるのが好ましい。コイルハウジング２４８は、鋼または可鍛鉄などの常磁性体でできている。コイル２５４が、スイッチ２６２の形態のコントローラの制御のもとでＤＣ電圧源２６０によって励磁されると、コイル２５４は、スプリング２４４の付勢動作に抗して、付勢アーマチュアプレート２３２の一部をハウジング２４８に引き付ける。コイル２５４への配線２６４は、電圧源２６０およびスイッチ２６２から、ハウジング２４８を貫通して形成された通路２６６を通って延びている。
【００３８】
ストラット２２２は、（スプリング２２４の付勢動作によって）それらのポケット２２０内で旋回して、全体として２７４で示す回転可能なノッチプレートの半径方向に延びる面２７２に形成された、離間したロック構成物またはノッチ２７０と係合する。ストラット２２２は、プレート２３２のプレート２１２に向かう移動時に、ロック構成物２７０と係合する。ノッチプレート２７４は、ノッチプレート２７４の軸方向に延びる内側面２７５に形成された内側スプライン２７８によって、スプラインの付いた回転可能なハブ２７６に連結されて、プレート２１２内で回転軸のまわりにプレート２１２に対して回転する。ハブ２１７、２７６は、同じ回転数で回転してよいし、または回転しなくてもよい。
【００３９】
スナップリング２８０は、プレート２１２の軸方向に延びる内側面２６５に形成された溝２８２内に配置されて、ノッチプレート２７４をプレート２１２に保持する。リング２８０はプレート２７４、２１２を共に保持し、プレート２７４の軸方向の（図２では左への）移動を妨げる。
【００４０】
ストラット２２２は、回転軸のまわりの相対回転動作の一方向において、ノッチプレート２７４をポケットプレート２１２にロックするが、回転軸のまわりの反対方向において、自由な回転を可能にする。先に説明したように、他の動作設定も可能である。ストラット２２２は、コイルが「切り」の場合にノッチプレート２７４のロックを解除する。ストラット２２２は、コイル２５４が「入り」の場合にノッチプレート２７４をロックする。ストラット２２２は、プレート２３２および支持されたスプリング２４４が、アーマチュアコイル２５４の励磁中に、コイルハウジング２４８から離れる方向に移動した場合に、ノッチプレート２７４をロックする。励磁されたコイル２５４は、コイルハウジング２４８を通り、プレート２３２の部分２３７を通り、コイルハウジング２４８とアーマチュアプレート２３２の部分２３７との間の狭いエアギャップを横断して流れると考えることができる磁束または磁界を発生させる。磁束密度が生じて、プレート２３２の部分２３７を空洞２５６に引き込むための、ハウジング２４８とプレート２３２との間の引き付け力を発生させる。
【００４１】
図３は、本発明に従って構築された、全体として３１０で示す制御可能な一方向クラッチまたは連結器アセンブリの第３の実施形態の上側半分（対称であることから簡略化のため）の、部分的に破断され、（ハッチングは全くないが）断面を示す概略側面図である。アセンブリ３１０は、全体として３１２で示す環状ポケットプレートを含む。プレート３１２の軸方向に延びる外側面３１４は外側スプライン３１６を有し、プレート３１２は、外側スプライン３１６によって、静止したトランスミッションケース３１７の内側面にスプライン結合されている。
【００４２】
プレート３１２の半径方向に延びる内側面３１８には、ストラット３２２（１つのストラットだけが示されている）が収容および保持される、離間したポケット３２０（１つのポケットだけが示されている）が形成されている。ポケット３２０の開孔内に配置されたコイルスプリング（図示せず）により、各ストラット３２２の一方の端部部分を外側に付勢することができ、そのため、各ストラット３２２は、そのポケット３２０内に維持される。各ストラット３２２の反対側の端部部分は、スプリング３２４が（支持体３４０によって）支持される、全体として３３２で示す環状の非常磁性（アルミニウムなど）付勢プレートまたは部材が、ストラット３２２の反対側の端部部分に向かって移動するときに、ポケットプレート３１２を貫通する穴３１９内にあって、それぞれのコイルスプリングの付勢力に打ち勝つスプリング３２４によって制御可能に付勢されて回転する。
【００４３】
スプリング３２４は、プレート３１２の半径方向に延びる外側面３３８を通って穴３１９内に延びている。複数のスプリング支持体３４０が、プレート３３２の内側面３４６に形成されて、スプリング３２４を支持している。付勢プレート３３２はまた、プレート３３２の外側面３４６と、プレート３１２の面３３８に形成された開孔３４３との間に延びる複数の付勢コイルスプリング３４４を（支持体３４７によって）支持している。
【００４４】
全体として３４８で示すコイルハウジング部材は、部材３４８の部分３５２の軸方向に延びる外側面３５０に形成されたスプライン３３３を有し、静止ハウジング３４８は、スプライン３３３によって、静止ケース３１７にスプライン結合されている。電磁コイル３５４は、ハウジング部材３４８内の空洞３５６内に配置されており、したがって、同様に動かない。コイル３５４は多くのターン数を有しており、適切な樹脂内に埋め込まれ、この樹脂によって囲まれるのが好ましい。コイルハウジング３４８は、鋼または可鍛鉄などの常磁性体でできている。コイル３５４が励磁されると、コイル３５４は、面３４５から延びるプレート３１２の部分３３７をスプリング３４４の付勢動作に抗してハウジング３４８に引き付ける。コイル３５４は、スイッチ３６２の形態のコントローラによって制御されるＤＣ電圧源３６０により励磁される。コイル３５４への配線３６４は、電圧源３６０およびスイッチ３６２から、ハウジング３４８を貫通して形成された通路３６６を通って延びている。
【００４５】
ストラット３２２は、（スプリング３２４の付勢動作によって）それらのポケット３２０内で旋回して、全体として３７４で示す回転可能なノッチプレートの半径方向に延びる面３７２に形成された、離間したロック構成物またはノッチ３７０と係合する。ストラット３２２は、プレート３３２および支持されたスプリング３２４のプレート３１２に向かう移動時に、ロック構成物３７０と係合する。ノッチプレート３７４は、ノッチプレート３７４の軸方向に延びる内側面３７５に形成された内側スプライン３７８によって、スプラインの付いた回転可能なハブ３７６に連結されて、プレート３１２内で回転軸のまわりにプレート３１２に対して回転する。
【００４６】
スナップリング３８０は、プレート３１２の軸方向に延びる内側面３６５に形成された溝３８２内に配置されて、ノッチプレート３７４およびプレート３１２を共に保持する。リング３８０はプレート３７４、３１２を共に保持して、プレート３７４の軸方向の（図３では左への）移動を妨げる。
【００４７】
ストラット３２２は、回転軸のまわりの相対回転動作の一方向において、ノッチプレート３７４をポケットプレート３１２にロックするが、回転軸のまわりの反対方向において、自由な回転を可能にする。先に説明したように、他の動作設定も可能である。ストラット３２２は、コイル３５４が「入り」の場合にノッチプレート３７４をロックする。ストラット３２２は、コイル３５４の励磁が中止された後、プレート３１２がハウジング３４８から離れる方向に移動するときにノッチプレート３７４のロックを解除する。励磁されたコイル３５４は、コイルハウジング３４８を通り、プレート３１２の部分３３７を通り、コイルハウジング３４８とプレート３１２の部分３３７との間の狭いエアギャップを横断して流れると考えることができる磁束または磁界を発生させる。磁束密度が生じて、ハウジング３４８とプレート３１２との間の引き付け力を発生させる。
【００４８】
図４は、本発明に従って構築された、全体として４１０で示す制御可能な一方向クラッチ、または連結器アセンブリの第４の実施形態の上側半分（対称であることから簡略化のため）の、部分的に破断され、（ハッチングは全くないが）断面を示す概略側面図である。アセンブリ４１０は、全体として４１２で示す環状ポケットプレートを含む。プレート４１２の軸方向に延びる外側面４１４は、プレート４１２を回転可能なハブ４１７と、全体として４１５で示す回転可能な外側ハウジング部材とに連結する外側スプライン４１６を有する。
【００４９】
プレート４１２の半径方向に延びる内側面４１８には、ストラット４２２（１つのストラットだけが示されている）が通常収容および保持される、離間したポケット４２０（１つのポケットだけが示されている）が形成されている。ポケット４２０の開孔内に配置されたコイルスプリング（図示せず）により、各ストラット４２２の一方の端部部分を外側に付勢することができ、そのため、各ストラット４２２は、通常、そのポケット４２０内に維持される。各ストラット４２２の反対側の端部部分は、スプリング４２４が支持される、全体として４３２で示すＬ字形状の付勢アーマチュアプレートまたは部材が、ストラット４２２の反対側の端部部分に向かって移動するときに、スプリング４２４によって制御可能に付勢される。スプリング４２４は、コイルスプリングの付勢力に打ち勝って、ポケットプレート４１２を貫通する穴４１９内を移動する。
【００５０】
スプリング４２４は、プレート４１２の半径方向に延びる外側面４３８を通って穴４１９およびポケット４２０内に延びている。複数のスプリング支持体をプレート４３２の内側面４４２に形成して、スプリング４２４を支持することができる。しかし、実施形態では、スプリング４２４は、プレート４３２に形成された開孔４３４内に支持されている。付勢プレート４３２はまた、プレート４３２の外側面４４５と、部材４１５の面４４６に形成された支持体４４７との間に延びる複数の付勢コイルスプリング４４４を（支持体４４３によって）支持している。ハウジング部材４１５の部分４５２の面４５０は、プレート４１２の外側面４１４にスプライン結合されていて、部材４１５、ポケットプレート４１２、およびハブ４１７は共に回転する。
【００５１】
多くのターン数を有するコイル４５４は、全体として４４８で示す静止コイルハウジングの空洞４５６内で適切な樹脂内に埋め込まれ、この樹脂によって囲まれるのが好ましい。コイルハウジング４４８は、鋼または可鍛鉄などの常磁性体でできている。コイル４５４が、スイッチ４６２の形態のコントローラによって制御されるＤＣ電圧源４６０により励磁されると、コイル４５４は、スプリング４４４の付勢動作に抗して、付勢アーマチュアプレート４３２の一部４３７をハウジング４４８に引き付ける。コイル４５４への配線４６４は、電圧源４６０およびスイッチ４６２から、ハウジング４４８を貫通して形成された通路４６６を通って延びている。
【００５２】
ストラット４２２は、（スプリング４２４の付勢動作によって）それらのポケット４２０内で旋回して、全体として４７４で示す回転可能なノッチプレートの半径方向に延びる面４７２に形成された、離間したロック構成物またはノッチ４７０と係合する。ストラット４２２は、プレート４３２のプレート４１２に向かう移動時にロック構成物４７０と係合する。ノッチプレート４７４は、ノッチプレート４７４の軸方向に延びる内側面４７５に形成された内側スプライン４７８によって、スプラインの付いた回転可能なハブ４７６に連結されて、プレート４１２内で回転軸のまわりにプレート４１２に対して回転する。ハブ４１７、４７６は、同じ角速度で回転してよいし、または回転しなくてもよい。
【００５３】
スナップリング４８０は、プレート４１２の軸方向に延びる内側面４６５に形成された溝４８２内に配置されて、ノッチプレート４７４をプレート４１２に保持する。リング４８０はプレート４７４、４１２を共に保持して、プレート４７４の軸方向の（図４では左への）移動を妨げる。
【００５４】
ストラット４２２は、回転軸のまわりの相対回転動作の一方向において、ノッチプレート４７４をポケットプレート４１２にロックするが、回転軸のまわりの反対方向において、自由な回転を可能にする。先に説明したように、他の動作設定も可能である。ストラット４２２は、コイル４５４が「切り」の場合に、スプリング４４４の付勢動作によりノッチプレート４７４をロックする。ストラット４２２は、アーマチュアコイル４５４の励磁中に、プレート４３２およびその支持されたスプリング４２４がコイルハウジング４４８に向かって移動すると、ノッチプレート４７４のロックを解除する。励磁されたコイル４５４は、コイルハウジング４４８を通り、プレート４１２の部分４３７を通り、コイルハウジング４４８とアーマチュアプレート４３２の部分４３７との間の狭いエアギャップを横断して流れると考えることができる磁束または磁界を発生させる。磁束密度が高くなって、ハウジング４４８とプレート４３２との間の引き付け力を発生させる。
【００５５】
図５は、本発明に従って構築された、全体として５１０で示す制御可能な一方向クラッチまたは連結器アセンブリの第５の実施形態の上側半分（対称であることから簡略化のため）の、部分的に破断され、（ハッチングは全くないが）断面を示す概略側面図である。アセンブリ５１０は、全体として５１２で示す環状ポケットプレートを含む。プレート５１２の軸方向に延びる外側面５１４は、プレート５１２をトランスミッションケースか、または回転可能なハブ５１７’のいずれかに連結する外側スプライン５１６を有する。したがって、ポケットプレート５１２は、この実施形態では、それぞれ動かないか、または回転可能かのいずれかとすることができる。
【００５６】
プレート５１２の半径方向に延びる内側面５１８には、ストラット５２２（１つのストラットだけが示されている）が通常収容および保持される、離間したポケット５２０（１つのポケットだけが示されている）が形成されている。ポケット５２０の開孔内に配置されたコイルスプリング（図示せず）により、各ストラット５２２の一方の端部部分を外側に付勢することができ、そのため、ストラット５２２は、そのポケット５２０内に維持される。各ストラット５２２の反対側の端部部分は、スプリング５２４が（支持体５４０で）支持される、全体として５３２で示すＬ字形状の付勢アーマチュアプレートまたは部材が、ストラット５２２の反対側の端部部分に向かって移動するときに、ポケットプレート５１２を貫通して形成された穴５１９内にあって、コイルスプリングの付勢力に打ち勝つスプリング５２４によって制御可能に付勢される。
【００５７】
全体として５４８で示すコイルハウジング部材は、部材５４８の部分５５２の軸方向に延びる内側面５５０に形成されたスプラインを有し、ハウジング５４８は、このスプラインによって、トランスミッションケース５１７にスプライン結合されている。ハウジング５４８内の空洞５５６内に配置された電磁コイル５５４は動かない。
【００５８】
スプリング５２４は、プレート５１２の半径方向に延びる外側面５３８を通って穴５１９およびポケット５２０内に延びている。複数のスプリング支持体５４０をプレート５３２の内側面５４２に形成して、スプリング５２４の端部を支持している。付勢プレート５３２はまた、スプリング支持体５４７からプレート５３２の外側面５４５とコイルスプリング支持部材５４９の内側面５４６との間に延びる複数の付勢コイルスプリング５４４を（支持体５４３で）支持している。スナップリング５５１は、プレート５１２の軸方向に延びる部分５５５に形成された溝５５３内に配置されている。プレート５３２および部材５４９は、プレート５１２の部分５５５にスプライン結合されて、プレート５１２が回転可能な場合に、プレート５３２を回転可能に支持するベアリング５９０を用いてハウジング５４８に対して共に回転する。
【００５９】
コイル５５４は多くのターン数を有しており、適切な樹脂内に埋め込まれ、この樹脂によって囲まれるのが好ましい。コイルハウジング５４８は、鋼または可鍛鉄などの常磁性体でできている。コイル５５４は、スイッチ５６２の形態のコントローラによって制御されるＤＣ電圧源５６０により励磁されると、スプリング５４４の付勢動作に抗して、付勢アーマチュアプレート５３２を引き付けて、図５の右に移動させる。コイル５５４への配線５６４は、電圧源５６０およびスイッチ５６２から、ハウジング５４８を貫通して形成された通路５６６を通って延びている。
【００６０】
ストラット５２２は、（スプリング５２４の付勢動作によって）それらのポケット５２０内で旋回して、全体として５７４で示す回転可能なノッチプレートの半径方向に延びる面５７２に形成された、離間したロック構成物またはノッチ５７０と係合する。ストラット５２２は、プレート５３２のプレート５１２に向かう移動時にロック構成物５７０と係合する。ノッチプレート５７４は、ノッチプレート５７４の軸方向に延びる内側面５７５に形成された内側スプライン５７８によって、スプラインの付いた回転可能なハブ（図示せず）に連結されて、プレート５１２内で回転軸のまわりにプレート５１２に対して回転する。
【００６１】
スナップリング５８０は、プレート５１２の軸方向に延びる内側面５６５に形成された溝５８２内に配置されて、ノッチプレート５７４をプレート５１２に保持する。リング５８０はプレート５７４、５１２を共に保持して、プレート５７４の軸方向の（図５では左への）移動を妨げる。
【００６２】
ストラット５２２は、回転軸のまわりの相対回転動作の一方向において、ノッチプレート５７４をポケットプレート５１２にロックするが、回転軸のまわりの反対方向において、自由な回転を可能にする。先に説明したように、他の動作設定も可能である。ストラット５２２は、コイル５５４が「切り」の場合にノッチプレート５７４をロックする。ストラット５２２は、プレート５３２および支持されたスプリング５２４が、アーマチュアコイル５５４の励磁中に、図５に示すように右に移動した場合に、ノッチプレート５７４のロックを解除する。励磁されたコイル５５４は、コイルハウジング５４８を通り、プレート５３２の部分５３７を通り、コイルハウジング５４８とアーマチュアプレート５３２との間の狭いエアギャップを横断して流れると考えることができる磁束または磁界を発生させる。磁束密度が生じて、図５に示すようにプレート５３２を右に移動させる、ハウジング５４８とプレート５３２との間の引き付け力が発生する。
【００６３】
図６は、本発明に従って構築された、全体として６１０で示す制御可能な一方向クラッチまたは連結器アセンブリの第６の実施形態の上側半分（対称であることから簡略化のため）の、部分的に破断され、（ハッチングは全くないが）断面を示す概略側面図である。アセンブリ６１０は、全体として６１２で示す環状ポケットプレートを含む。プレート６１２の軸方向に延びる外側面６１４は外側スプライン６１６を有し、プレート６１２は、外側スプライン６１６によって、トランスミッションケースまたは回転可能なハブとすることができる部材６１７’に連結またはスプライン結合されている。したがって、プレート６１２は、この実施形態では、動かないか、または回転可能かのいずれかとすることができる。スプライン６１６はまた、プレート６１２を、全体として６３２で示すＴ字形状の付勢プレートに連結し、付勢プレートは、プレート６３２を回転可能に支持するブッシュ６９０を用いて、プレート６１２と共に回転する。
【００６４】
プレート６１２の半径方向に延びる内側面６１８には、ストラット６２２（１つのストラットだけが示されている）が収容および保持される、離間したポケット６２０（１つのポケットだけが示されている）が形成されている。ポケット６２０の開孔内に配置されたコイルスプリング（図示せず）により、各ストラット６２２の一方の端部部分を外側に付勢することができ、そのため、ストラット６２２は、通常、そのポケット６２０内に維持される。各ストラット６２２の反対側の端部部分は、スプリング６２４が支持される、環状の付勢アーマチュアプレートまたは部材６３２が、ストラット６２２の反対側の端部部分に向かって移動するときに、スプリング６２４によって制御可能に付勢される。スプリング６２４は、コイルスプリングの付勢力に打ち勝って、ポケットプレート６１２を貫通する穴６１９内を通って延びる。
【００６５】
全体として６４８で示すコイルハウジング部材は、部材６４８の部分６５２の軸方向に延びる内側面６５０に形成されたスプライン６３３を有し、ハウジング６４８は、スプライン６３３によって、トランスミッションケース６１７にスプライン結合されている。電磁コイル６５４は、動かないようにハウジング６４８内の空洞６５６内に配置されている。
【００６６】
スプリング６２４は、プレート６１２の半径方向に延びる外側面６３８を通って穴６１９内に延びている。複数のスプリング支持体６４０が、プレート６３２の内側面６４２に形成されて、スプリング６２４を支持している。付勢プレート６３２はまた、プレート６３２の外側面６４６と、プレート６１２の面６３８に形成された開孔６４３との間に延びる複数の付勢コイルスプリング６４４を支持している。
【００６７】
コイル６５４は多くのターン数を有しており、適切な樹脂内に埋め込まれ、この樹脂によって囲まれるのが好ましい。コイルハウジング６４８は、鋼または可鍛鉄などの常磁性体でできている。コイル６５４は、ＤＣ電圧源６６０によって励磁された場合に、スプリング６４４の付勢動作に抗して、付勢アーマチュアプレート６３２の部分６３７を引き付けて、（図６に示すように）ハウジング６４８に対して左に移動させる。電圧源６６０は、スイッチ６６２の形態のコントローラによって制御される。コイル６５４への配線６６４は、電圧源６６０およびスイッチ６６２から、ハウジング６４８を貫通して形成された通路６６６を通って延びている。
【００６８】
ストラット６２２は、（スプリング６２４の付勢動作によって）それらのポケット６２０内で旋回して、全体として６７４で示す回転可能なノッチプレートの半径方向に延びる面６７２に形成された、離間したロック構成物またはノッチ６７０と係合する。ストラット６２２は、プレート６３２のプレート６１２に向かう移動時に、ロック構成物６７０と係合する。ノッチプレート６７４は、ノッチプレート６７４の軸方向に延びる内側面６７５に形成された内側スプライン６７８によって、スプラインの付いた回転可能なハブ６７６に連結されて、プレート６１２内で回転軸のまわりにプレート６１２に対して回転する。
【００６９】
スナップリング６８０は、プレート６１２の軸方向に延びる内側面６６５に形成された溝６８２内に配置されて、ノッチプレート６７４をプレート６１２に保持する。リング６８０はプレート６７４、６１２を共に保持して、プレート６７４の軸方向の（図６では左への）移動を妨げる。
【００７０】
ストラット６２２は、回転軸のまわりの相対回転動作の一方向において、ノッチプレート６７４をポケットプレート６１２にロックするが、回転軸のまわりの反対方向において、自由な回転を可能にする。先に説明したように、他の動作設定も可能である。ストラット６２２は、コイル６５４が「入り」、すなわち、励磁された場合にノッチプレート６７４をロックする。アーマチュアコイル６５４が「切り」にされたときに、プレート６３２および支持されたスプリング６２４が、スプリング６４４を用いて図６の右に移動すると、ストラット６２２はノッチプレート６７４のロックを解除する。励磁されたコイル６５４は、コイルハウジング６４８を通り、プレート６３２の部分６３７を通り、コイルハウジング６４８とアーマチュアプレート６３２との間の狭いエアギャップを横断して流れると考えることができる磁束または磁界を発生させる。磁束密度が生じて、プレート６３２を図６の右に移動させる、ハウジング６４８とプレート６３２の部分６３７との間の引き付け力が発生する。
【００７１】
例示的な実施形態が上記に説明されたが、これらの実施形態が、本発明のすべての可能な形態を表すことは意図されていない。むしろ、本明細書で使用される文言は、限定ではなくて説明の文言であり、本発明の趣旨および範囲から逸脱することなく、様々な変更を行うことができるのは当然である。さらに、構築した様々な実施形態の特徴を組み合わせて、本発明のさらなる実施形態を形成することができる。
【図１】
2013524105.tif 000003
【図２】
2013524105.tif 000004
【図３】
2013524105.tif 000005
【図４】
2013524105.tif 000006
【図５】
2013524105.tif 000007
【図６】
2013524105.tif 000008
【国際調査報告】
2013524105.tif 000009